(57)【要約】      （修正有）【課題】各ＣＰから、それぞれのコンテンツを説明するデータを提供して貰い、これらデータを素材にして、各ＩＳＰ向けの商品ページを作成して、それぞれのＷｅｂサーバに転送する作業を、システム化・省力化する。【解決手段】各ＣＰに各コンテンツを説明する各素材データを登録させ、これら素材データを保管する機能と、各ＩＳＰに固有の各素材データを保管する機能と、各テンプレートを保管する機能と、各商品ページの編成情報を各商品ページの公開日と共に保管する機能と、公開日が今日の各商品ページの編成情報に従って、テンプレートの各挿入位置に各素材データを挿入して公開日が今日の各商品ページを作成する機能と、作成した各商品ページを各商品ページを公開する各ＩＳＰのＷｅｂサーバに転送する機能とを有するコンテンツ管理システム。【選択図】図１
2006318161.tif 000002
【特許請求の範囲】
【請求項１】
各コンテンツ・プロバイダの端末と、各インターネット・サービス・プロバイダのＷｅｂサーバとに、ネットワークを介して接続するシステムであって、
各コンテンツ・プロバイダに、各々の端末にて、各コンテンツを説明する各素材データを登録させ、これら素材データを保管する機能と、
各インターネット・サービス・プロバイダに固有の各素材データを保管する機能と、
各テンプレートを保管する機能と、
各商品ページの編成情報を、各商品ページの公開日と共に保管する機能と、
公開日が今日の各商品ページの編成情報に従って、テンプレートの各挿入位置に、挿入する各素材データを挿入して、公開日が今日の各商品ページを作成する機能と、
作成した各商品ページを、各商品ページを公開する各インターネット・サービス・プロバイダのＷｅｂサーバに転送する機能とを有することを特徴とするコンテンツ管理システム。
【請求項２】
前記編成情報は、表計算ソフトウェアを用いて作成された表で示されていることを特徴とする請求項１に記載のコンテンツ管理システム。
【請求項３】
各コンテンツ・プロバイダの端末と、各インターネット・サービス・プロバイダのＷｅｂサーバとに、ネットワークを介して接続するシステムが実行する方法であって、
各コンテンツ・プロバイダに、各々の端末にて、各コンテンツを説明する各素材データを登録させ、これら素材データを保管する工程と、
各インターネット・サービス・プロバイダに固有の各素材データを保管する工程と、
各テンプレートを保管する工程と、
各商品ページの編成情報を、各商品ページの公開日と共に保管する工程と、
公開日が今日の各商品ページの編成情報に従って、テンプレートの各挿入位置に、挿入する各素材データを挿入して、公開日が今日の各商品ページを作成する工程と、
作成した各商品ページを、各商品ページを公開する各インターネット・サービス・プロバイダのＷｅｂサーバに転送する工程とを含むことを特徴とするコンテンツ管理方法。
【請求項４】
前記編成情報は、表計算ソフトウェアを用いて作成された表で示されていることを特徴とする請求項３に記載のコンテンツ管理方法。
【請求項５】
各コンテンツ・プロバイダの端末と、各インターネット・サービス・プロバイダのＷｅｂサーバとに、ネットワークを介して接続するシステムに、
各コンテンツ・プロバイダに、各々の端末にて、各コンテンツを説明する各素材データを登録させ、これら素材データを保管する機能と、
各インターネット・サービス・プロバイダに固有の各素材データを保管する機能と、
各テンプレートを保管する機能と、
各商品ページの編成情報を、各商品ページの公開日と共に保管する機能と、
公開日が今日の各商品ページの編成情報に従って、テンプレートの各挿入位置に、挿入する各素材データを挿入して、公開日が今日の各商品ページを作成する機能と、
作成した各商品ページを、各商品ページを公開する各インターネット・サービス・プロバイダのＷｅｂサーバに転送する機能とを実現させることを特徴とするコンテンツ管理プログラム。
【請求項６】
前記編成情報は、表計算ソフトウェアを用いて作成された表で示されていることを特徴とする請求項５に記載のコンテンツ管理プログラム。
【請求項７】
請求項５又は請求項６に記載のコンテンツ管理プログラムを記録した記録媒体。
【発明の詳細な説明】
【技術分野】
【０００１】
本発明は、コンテンツを管理する技術に関する。
【背景技術】
【０００２】
従来から、インターネット・サービス・プロバイダ（ＩＳＰ）には、Ｗｅｂサーバを用いて、ユーザに、コンテンツを紹介し、ユーザを、コンテンツ・プロバイダ（ＣＰ）からコンテンツを集めて流通させているコンテンツ流通業者の販売サイトへ誘導するＨＴＭＬページ（以後、商品ページと云う）を、インターネット上で公開しているところがある（例えば、特許文献１参照）。
【０００３】
コンテンツ流通業者でもある本出願人では、従来、販促担当者が、各ＣＰから、それぞれのコンテンツを説明するテキストデータや画像データの提供を受け、これらデータを素材にして、個々のＩＳＰ向けの商品ページを作成して、それぞれのＩＳＰのＷｅｂサーバにアップロードすることを全て手作業で行っていた。
【０００４】
本出願人では、商品ページ作成のシステム化・省力化の一環として、各ＣＰが、それぞれのコンテンツを説明するテキストデータや画像データを、インターネットを介して、登録でき、これらテキストデータや画像データを、商品ページを作成するための素材データとして保管する素材データ管理システムを既に導入している。
【０００５】
尚、本願で、システムと云えば、コンピュータを利用したシステムのことを意味するものとする。
【０００６】
さらに、コンテンツ管理システム（ＣＭＳ）を導入することにより、一層のシステム化・省力化が期待されるが、既存のＣＭＳを使用した場合、以下の問題がある。
【０００７】
第１に、既存のＣＭＳは、ＨＴＭＬページをＣＧＩにて動的に作成するため、商品ページへの大量アクセスによる高負荷に対応するためには、多くのシステムパワーを必要とする。また、システムダウンした場合、動的に作成されるページは表示されなくなる。
【０００８】
第２に、上述のように、既に、コンテンツを説明するテキストデータや画像データを、素材データ管理システムで保管しているので、商品ページを作成するためには、既存のＣＭＳに、これらテキストデータや画像データを再入力するか、又は、素材データ管理システムから随時取得して使用できる機能を付加する必要がある。
【０００９】
第３に、既存のＣＭＳには作成したＨＴＭＬページをファイル出力可能なものもあるが、ＩＳＰによっては、自分のＷｅｂサーバで、商品ページを保管することが要求されるため、既存のＣＭＳに、作成したＨＴＭＬページを、各ＩＳＰのＷｅｂサーバへ転送する機能を付加する必要がある。
【００１０】
第４に、既存のＣＭＳでは、作成するＨＴＭＬページで表示されるデータの登録・設定は、Ｗｅｂインターフェースの管理画面にて行うのが一般的であるが、本出願人では、従来から、表計算ソフトウェアを用いて作成される編成表にて管理されているため、この編成表による管理を継続することが求められている。
【特許文献１】特開２００３−３０１５６号公報
【発明の開示】
【発明が解決しようとする課題】
【００１１】
本発明は斯かる背景技術に鑑みてなされたもので、各コンテンツ・プロバイダから、それぞれのコンテンツを説明するデータを提供して貰い、これらデータを素材にして、各インターネット・サービス・プロバイダ向けの商品ページを作成して、それぞれのＷｅｂサーバに転送する作業を、システム化・省力化することを課題とする。
【課題を解決するための手段】
【００１２】
本発明において上記課題を達成するために、まず請求項１の発明では、各コンテンツ・プロバイダの端末と、各インターネット・サービス・プロバイダのＷｅｂサーバとに、ネットワークを介して接続するシステムであって、
各コンテンツ・プロバイダに、各々の端末にて、各コンテンツを説明する各素材データを登録させ、これら素材データを保管する機能と、
各インターネット・サービス・プロバイダに固有の各素材データを保管する機能と、
各テンプレートを保管する機能と、
各商品ページの編成情報を、各商品ページの公開日と共に保管する機能と、
公開日が今日の各商品ページの編成情報に従って、テンプレートの各挿入位置に、挿入する各素材データを挿入して、公開日が今日の各商品ページを作成する機能と、
作成した各商品ページを、各商品ページを公開する各インターネット・サービス・プロバイダのＷｅｂサーバに転送する機能とを有することを特徴とするコンテンツ管理システムとしたものである。
【００１３】
また請求項２の発明では、前記編成情報は、表計算ソフトウェアを用いて作成された表で示されていることを特徴とする請求項１に記載のコンテンツ管理システムとしたものである。
【００１４】
また請求項３の発明では、各コンテンツ・プロバイダの端末と、各インターネット・サービス・プロバイダのＷｅｂサーバとに、ネットワークを介して接続するシステムが実行する方法であって、
各コンテンツ・プロバイダに、各々の端末にて、各コンテンツを説明する各素材データを登録させ、これら素材データを保管する工程と、
各インターネット・サービス・プロバイダに固有の各素材データを保管する工程と、
各テンプレートを保管する工程と、
各商品ページの編成情報を、各商品ページの公開日と共に保管する工程と、
公開日が今日の各商品ページの編成情報に従って、テンプレートの各挿入位置に、挿入する各素材データを挿入して、公開日が今日の各商品ページを作成する工程と、
作成した各商品ページを、各商品ページを公開する各インターネット・サービス・プロバイダのＷｅｂサーバに転送する工程とを含むことを特徴とするコンテンツ管理方法としたものである。
【００１５】
また請求項４の発明では、前記編成情報は、表計算ソフトウェアを用いて作成された表で示されていることを特徴とする請求項３に記載のコンテンツ管理方法としたものである。
【００１６】
また請求項５の発明では、各コンテンツ・プロバイダの端末と、各インターネット・サービス・プロバイダのＷｅｂサーバとに、ネットワークを介して接続するシステムに、
各コンテンツ・プロバイダに、各々の端末にて、各コンテンツを説明する各素材データを登録させ、これら素材データを保管する機能と、
各インターネット・サービス・プロバイダに固有の各素材データを保管する機能と、
各テンプレートを保管する機能と、
各商品ページの編成情報を、各商品ページの公開日と共に保管する機能と、
公開日が今日の各商品ページの編成情報に従って、テンプレートの各挿入位置に、挿入する各素材データを挿入して、公開日が今日の各商品ページを作成する機能と、
作成した各商品ページを、各商品ページを公開する各インターネット・サービス・プロバイダのＷｅｂサーバに転送する機能とを実現させることを特徴とするコンテンツ管理プログラム。
【００１７】
また請求項６の発明では、前記編成情報は、表計算ソフトウェアを用いて作成された表で示されていることを特徴とする請求項５に記載のコンテンツ管理プログラムとしたものである。
【００１８】
また請求項７の発明では、請求項５又は請求項６に記載のコンテンツ管理プログラムを記録した記録媒体としたものである。
【発明の効果】
【００１９】
請求項１、３、５、及び請求項５を引用する請求項７の発明は、各コンテンツ・プロバイダから、それぞれのコンテンツを説明するデータを提供して貰い、これらデータを素材にして、各インターネット・サービス・プロバイダ向けの商品ページを作成して、それぞれのＷｅｂサーバに転送する作業を、システム化・省力化し、なおかつ、この作業の標準化が確立できるという効果がある。また、作成した各商品ページを、各商品ページを公開する各インターネット・サービス・プロバイダのＷｅｂサーバに転送するので、大量アクセスによる高負荷に影響されることがなく、さらに、トラブルやメンテナンス時に、システムがダウンしても、各インターネット・サービス・プロバイダのＷｅｂサーバに転送された商品ページには影響がないため、公開している商品ページ表示がダウンすることがないという効果がある。
【００２０】
請求項２、４、６、及び請求項６を引用する請求項７の発明は、商品ページの編成情報を、表計算ソフトウェアを用いて作成される表にて管理できるために、商品ページの編成情報の管理作業を、システム外にて行うことができる。これより、商品ページの編成情報の管理、商品ページのデザイン、システム内での設定作業など、それぞれ担当する作業者を分けたワークフローでの作業が可能になる。
【発明を実施するための最良の形態】
【００２１】
以下に、本発明の最良の一実施形態を説明する。
【００２２】
本実施形態では、図１に示すように、各コンテンツ・プロバイダ（ＣＰ）の端末と、各インターネット・サービス・プロバイダ（ＩＳＰ）のＷｅｂサーバとがＷＡＮに接続され、また、コンテンツ流通業者のコンテンツメタデータベース（ＣＤＢ）と、コンテンツ流通業者の素材データ管理システムと、コンテンツ流通業者の商品ページ自動作成システムと、コンテンツ流通業者の端末とが、コンテンツ流通業者のＬＡＮに接続され、このＬＡＮが、コンテンツ流通業者のプロキシサーバを介して、ＷＡＮに接続されている。ＷＡＮは、インターネットであっても良い。素材データ管理システムと、商品ページ自動作成システムとでコンテンツ管理システムが構成される。
【００２３】
各ＣＰの端末にて、各ＣＰは、素材データ管理システムから管理画面を呼び出して表示し、この管理画面から、素材データ管理システムへ、それぞれのコンテンツを説明する素材データ（テキストデータと画像データ）を登録する。
【００２４】
各ＩＳＰのＷｅｂサーバは、図１に示すように、各ＩＳＰの商品ページを一つ又は複数
保管し、これら商品ページをインターネット上で公開する。各ＩＳＰの各商品ページは、ＨＴＭＬページであって、各ＩＳＰで取り扱っているコンテンツを、ユーザに紹介して、ユーザを、これらコンテンツの販売サイト（図示せず）へ誘導するためのものである。
【００２５】
コンテンツメタデータベース（ＣＤＢ）は、各コンテンツを、どのＩＳＰで、幾らで販売しているかという情報をデータベース（ＤＢ）に保管する。
【００２６】
素材データ管理システムは、図２に示すように、各商品ページの作成に使用する各素材データの内、各コンテンツを説明する各素材データ（テキストデータと画像データ）の各バージョンと公開日とを、コンテンツ単位で保管する。各コンテンツを説明する各素材データは、各コンテンツごとに用意され、例えば、各コンテンツのシンボルマークやロゴタイプやアイコン等を表す画像データ、各コンテンツごとに異なる説明文やキャッチコピーやリンク用のＵＲＬ等を表すテキストデータがある。素材データ管理システムは、コンテンツメタデータベースに対して、コンテンツの名前と価格とを参照することがある。
【００２７】
商品ページ自動作成システムは、図３に示すように、各商品ページの作成に使用する各素材データの内、各ＩＳＰに固有の各素材データ（テキストデータと画像データ）の各バージョンと公開日とを、ＩＳＰ単位で保管する。各ＩＳＰに固有の各素材データは、各ＩＳＰごとに、各ＩＳＰ独自に用意された素材データのことであって、例えば、各ＩＳＰのシンボルマークやロゴタイプやアイコン等を表す画像データ、各ＩＳＰごとに異なる説明文やキャッチコピーやリンク用のＵＲＬ等を表すテキストデータがある。
【００２８】
また、商品ページ自動作成システムは、図３に示すように、ＩＳＰ単位で、各商品ページのテンプレートについて、各バージョンと公開日とを保管する。商品ページのテンプレートは、ＨＴＭＬページであって、商品ページのレイアウトなどのデザインを定め、素材データの挿入位置を示しているものである。ここで、素材データの挿入位置とは、素材データの内、テキストデータについては、テキストデータそのものを挿入する位置であり、素材データの内、画像データについては、画像データの保管場所を示すＵＲＬを挿入する位置である。
【００２９】
また、商品ページ自動作成システムは、図３に示すように、ＩＳＰかつ商品ページ単位で、各ＩＳＰの各商品ページの編成表について、各バージョンを、各ＩＳＰの各商品ページの公開日と共に保管する。編成表は、どのＩＳＰの、どの商品ページが、どのテンプレートの、どの挿入位置に、どの素材データを挿入して作成されるかという編成情報を示す表であって、ＣＶＳ形式のファイルに格納されている。編成表は、表計算ソフトウェアを用いて、作成され、ＣＶＳ形式のファイルで出力されたものである。
【００３０】
商品ページ自動作成システムは、各ＩＳＰの各商品ページの編成表で、公開日が今日であるものの最新バージョンに基づいて、テンプレートの最新バージョンの各挿入位置に、挿入する素材データの最新バージョンを挿入して、公開日が今日である各ＩＳＰの各商品ページを作成し、各ＩＳＰのＷｅｂサーバにＦＴＰで転送する。各ＩＳＰのＷｅｂサーバは、商品ページ自動作成システムから、各ＩＳＰの商品ページを受け取って保管し公開する。Ｗｅｂブラウザで、商品ページを閲覧するとき、画像データについては、商品ページに挿入されているＵＲＬに従って、素材データ管理システム又は商品ページ自動作成システムから取得されて表示される。
【００３１】
コンテンツ流通業者の端末にて、コンテンツ流通業者の販促担当者は、表計算ソフトウェアを利用して、各ＩＳＰの各商品ページの編成表を作成し、ＣＶＳファイル形式の編成表を出力して商品ページ自動作成システムに登録し、また、各テンプレートと、各ＩＳＰに固有の各素材データとを、商品ページ自動作成システムに登録する。
【００３２】
以下のＳＴＥＰ１〜８に、素材データ管理システムと、商品ページ自動作成システムとで構成されるコンテンツ管理システムで行われる、商品ページを作成するための処理の流れの例を説明する。
【００３３】
Ｓ（ＳＴＥＰ）１；
商品ページ自動作成システムは、公開日が今日である商品ページの編成表の最新バージョンを、その保管場所から取得する。
【００３４】
Ｓ（ＳＴＥＰ）２；
商品ページ自動作成システムは、取得した編成表の最新バージョンに基づいて、テンプレートの最新バージョンを、その保管場所から取得する。
【００３５】
Ｓ（ＳＴＥＰ）３；
商品ページ自動作成システムは、取得した編成表の最新バージョンに基づいて、商品ページの作成に使用する素材データの内、商品ページをＷｅｂサーバで公開するＩＳＰ固有の素材データについて、素材データがテキストデータの場合には、テキストデータの最新バージョンそのものを、その保管場所から取得し、素材データが画像データの場合には、画像データの最新バージョンの保管場所を示すＵＲＬを取得する。
【００３６】
Ｓ（ＳＴＥＰ）４；
商品ページ自動作成システムは、取得した編成表の最新バージョンに基づいて、商品ページの作成に使用する素材データの内、コンテンツを説明する素材データを、素材データ管理システムに要求する。
【００３７】
Ｓ（ＳＴＥＰ）５；
素材データ管理システムは、商品ページ自動作成システムから要求された素材データがテキストデータの場合には、テキストデータの最新バージョンそのものを返し、商品ページ自動作成システムから要求された素材データが画像データの場合には、画像データの最新バージョンの保管場所を示すＵＲＬを返す。
【００３８】
Ｓ（ＳＴＥＰ）６；
商品ページ自動作成システムは、素材データ管理システムに要求した素材データについて、素材データがテキストデータの場合には、テキストデータの最新バージョンそのものを取得し、素材データが画像データの場合には、画像データの最新バージョンの保管場所を示すＵＲＬを取得する。
【００３９】
Ｓ（ＳＴＥＰ）７；
商品ページ自動作成システムは、取得した編成表の最新バージョンに基づいて、テンプレートの最新バージョンの各挿入位置に、挿入する素材データがテキストデータの場合、取得したテキストデータの最新バージョンそのものを挿入し、挿入する素材データが画像データの場合、取得した画像データの最新バージョンの保管場所を示すＵＲＬを挿入して、商品ページを作成する。
【００４０】
Ｓ（ＳＴＥＰ）８；
商品ページ自動作成システムは、作成した商品ページを、この商品ページを公開するＩＳＰのＷｅｂサーバにＦＴＰで送る。
【図面の簡単な説明】
【００４１】
【図１】本実施形態に係るシステム全体の構成を説明する図。
【図２】素材データ管理システムにおけるデータの保管を説明する図。
【図３】商品ページ自動作成システムにおけるデータの保管を説明する図。
【図１】
2006318161.tif 000003
【図２】
2006318161.tif 000004
【図３】
2006318161.tif 000005